(57)【要約】【課題】ファイルを開いてからの経過時間によりファイルの内容を異ならせて表示することが可能な電子ファイル閲覧システムを提供することである。【解決手段】前記画像形成装置は、前記スキャンした紙文書の指定された領域を暗号化領域として指定する暗号化領域指定手段と、前記暗号化領域指定手段により指定された領域の復号条件として、前記作成された電子ファイルが開かれてからの所定の経過時間を設定する復号条件設定手段と、前記暗号化指定領域で指定された領域を、前記復号条件設定手段により設定された条件で復号可能な状態で暗号化する暗号化手段と、を有し、前記電子ファイル閲覧装置は、前記電子ファイルを開いてからの経過時間を測定する時間測定手段と、前記時間測定手段により、前記復号条件設定手段で設定された所定の時間が経過したと測定された場合、対応する前記電子ファイルの暗号化領域を復号して表示する復号表示手段と、を有する。【選択図】図１
2014081744.tif 000002
【特許請求の範囲】
【請求項１】
紙文書をスキャンして電子ファイルを作成可能な画像形成装置と、前記電子ファイルを閲覧可能な電子ファイル閲覧装置とからなる電子ファイル閲覧システムであって、
前記画像形成装置は、
前記スキャンした紙文書の指定された領域を暗号化領域として指定する暗号化領域指定手段と、
前記暗号化領域指定手段により指定された領域の復号条件として、前記作成された電子ファイルが開かれてからの所定の経過時間を設定する復号条件設定手段と、
前記暗号化領域指定手段で指定された領域を、前記復号条件設定手段により設定された条件で復号可能な状態で暗号化する暗号化手段と、
を有し、
前記電子ファイル閲覧装置は、
前記電子ファイルを開いてからの経過時間を測定する時間測定手段と、
前記時間測定手段により、前記復号条件設定手段で設定された所定の時間が経過したと測定された場合、対応する前記電子ファイルの暗号化領域を復号して表示する復号表示手段と、
を有することを特徴とする電子ファイル閲覧システム。
【請求項２】
前記復号条件には、更に前記電子ファイルの所定のページを閲覧することを条件として設定することを特徴とする請求項１記載の電子ファイル閲覧システム。
【請求項３】
前記復号条件には、前記復号された領域が復号されてからの所定の経過時間を設定することを特徴とする請求項１または２記載の電子ファイル閲覧システム。
【請求項４】
暗号化領域を有する電子ファイルであって、当該暗号化された領域の復号条件として、当該電子ファイルが開かれてからの所定の経過時間が設定された復号条件を有する電子ファイルを閲覧可能な電子ファイル閲覧装置であって、
前記電子ファイルを開いてからの経過時間を測定する時間測定手段と、
前記時間測定手段により、前記復号条件に設定された所定の時間が経過したと測定された場合、対応する前記電子ファイルの暗号化領域を復号して表示する復号表示手段と、
を有することを特徴とする電子ファイル閲覧装置
【請求項５】
紙文書をスキャンして電子ファイルを作成可能な画像形成装置であって、
前記スキャンした紙文書の指定された領域を暗号化領域として指定する暗号化領域指定手段と、
前記暗号化領域指定手段により指定された領域の復号条件として、前記作成された電子ファイルが開かれてからの所定の経過時間を設定する復号条件設定手段と、
前記暗号化領域指定手段で指定された領域を、前記復号条件設定手段により設定された条件で復号可能な状態で暗号化する暗号化手段と、
を有する画像形成装置。
【請求項６】
紙文書をスキャンして電子ファイルを作成可能な画像形成装置と、前記電子ファイルを閲覧可能な電子ファイル閲覧装置とからなる電子ファイル閲覧システムの制御方法であって、
前記画像形成装置は、
前記スキャンした紙文書の指定された領域を暗号化領域として指定する暗号化領域指定ステップと、
前記暗号化領域指定ステップにより指定された領域の復号条件として、前記作成された電子ファイルが開かれてからの所定の経過時間を設定する復号条件設定ステップと、
前記暗号化領域指定ステップで指定された領域を、前記復号条件設定ステップにより設定された条件で復号可能な状態で暗号化する暗号化ステップと、
を有し、
前記電子ファイル閲覧装置は、
前記電子ファイルを開いてからの経過時間を測定する時間測定ステップと、
前記時間測定ステップにより、前記復号条件設定ステップで設定された所定の時間が経過したと測定された場合、対応する前記電子ファイルの暗号化領域を復号して表示する復号表示ステップと、
を有することを特徴とする電子ファイル閲覧システムの制御方法。
【請求項７】
紙文書をスキャンして電子ファイルを作成可能な画像形成装置と、前記電子ファイルを閲覧可能な電子ファイル閲覧装置とからなる電子ファイル閲覧システムで実行可能なプログラムであって、
前記画像形成装置を、
前記スキャンした紙文書の指定された領域を暗号化領域として指定する暗号化領域指定手段と、
前記暗号化領域指定手段により指定された領域の復号条件として、前記作成された電子ファイルが開かれてからの所定の経過時間を設定する復号条件設定手段と、
前記暗号化領域指定手段で指定された領域を、前記復号条件設定手段により設定された条件で復号可能な状態で暗号化する暗号化手段と、
を有し、
前記電子ファイル閲覧装置を、
前記電子ファイルを開いてからの経過時間を測定する時間測定手段と、
前記時間測定手段により、前記復号条件設定手段で設定された所定の時間が経過したと測定された場合、対応する前記電子ファイルの暗号化領域を復号して表示する復号表示手段と、
を有することを特徴とする電子ファイル閲覧システムとして機能させるためのプログラム。
【発明の詳細な説明】
【技術分野】
【０００１】
本発明は、複合機における暗号化電子ファイルの作成および、暗号化電子ファイルの表示に関する。
【背景技術】
【０００２】
ユーザ権限や開示時期に応じて、文書の指定範囲の表示・非表示を制御できる機能を持つ電子ファイルを作成することができる技術がある。
【０００３】
この技術では、指定された期日以前に文書を開くと表示されない指定範囲が、指定された期日以降に文書ファイルを開くと表示されるようになっている。
【０００４】
この技術により作成された電子ファイルは一定期間経過後に、指定範囲の表示・非表示が制御される。
【０００５】
特許文献１には、ユーザ権限と時期に応じて、指定範囲の表示・非表示を制御できる電子ファイルについて記載されている。
【先行技術文献】
【特許文献】
【０００６】
【特許文献１】特願２００３−７８３９８号公報
【発明の概要】
【発明が解決しようとする課題】
【０００７】
上記特許文献１のシステムでは、ユーザ権限と開示時期の登録により、電子ファイルの指定範囲の表示制御が可能となっている。
【０００８】
しかしながら、ある状況下、例えば、時間の経過とともに次の問題を表示したい試験問題や時間が経過することで問題の答えを表示したい場合には、時間経過とともに、表示・非表示の制御を行いたい。
【０００９】
このような場合、特許文献１のシステムでは電子ファイル読込時に現在日時を判断するため、ファイルを開いてからの経過時間により表示・非表示の制御を行うことはできない。また、一定期間経過してからファイルを開いた場合、次の問題や、問題の答えが表示された状態でファイルが開かれてしまう。
【００１０】
そこで、本発明の目的は、ファイルを開いてからの経過時間によりファイルの内容を異ならせて表示することが可能な電子ファイル閲覧システムを提供することである。
【課題を解決するための手段】
【００１１】
紙文書をスキャンして電子ファイルを作成可能な画像形成装置と、前記電子ファイルを閲覧可能な電子ファイル閲覧装置とからなる電子ファイル閲覧システムであって、前記画像形成装置は、前記スキャンした紙文書の指定された領域を暗号化領域として指定する暗号化領域指定手段と、前記暗号化領域指定手段により指定された領域の復号条件として、前記作成された電子ファイルが開かれてからの所定の経過時間を設定する復号条件設定手段と、前記暗号化指定領域で指定された領域を、前記復号条件設定手段により設定された条件で復号可能な状態で暗号化する暗号化手段と、を有し、前記電子ファイル閲覧装置は、前記電子ファイルを開いてからの経過時間を測定する時間測定手段と、前記時間測定手段により、前記復号条件設定手段で設定された所定の時間が経過したと測定された場合、対応する前記電子ファイルの暗号化領域を復号して表示する復号表示手段と、を有することを特徴とする。
【発明の効果】
【００１２】
本発明によれば、ファイルを開いてからの経過時間によりファイルの内容を異ならせて表示することが可能な電子ファイル閲覧システムを提供することができる。
【図面の簡単な説明】
【００１３】
【図１】本発明の文書閲覧システムのシステム構成の一例を示すシステム構成図である。
【図２】図１に示した情報処理装置のハードウェア構成図である。
【図３】図１に示した情報処理装置の機能ブロック図である。
【図４】本発明における電子ファイル出力フローである。
【図５】本発明における電子ファイル表示フローである。
【図６】本発明における電子ファイル復元モードの表示フローである。
【図７】本発明における電子ファイルイメージである。
【図８】本発明における電子ファイル暗号化イメージである。
【図９】本発明における電子ファイルの暗号化情報保持イメージである。
【発明を実施するための形態】
【００１４】
以下、図面を参照して、本発明の実施形態を詳細に説明する。
【００１５】
図１は、本発明の文書閲覧システムのシステム構成の一例を示すシステム構成図である。
【００１６】
１又は複数の複合機１１０、1又は複数の情報処理装置１０２、１０４、および１又は複数のサーバ装置１０６、１０８がネットワーク（ＬＡＮ）１００を介して接続される電子ファイル閲覧システムとして構成されている。
【００１７】
複合機１１０では、電子化する電子ファイルの特定範囲を暗号化し、復号するための条件を設定することができる。復号する条件とは、ページや選択範囲を対象に、ファイルを開いてからの経過時間や特定のページが開かれたか否か、などである。
【００１８】
情報処理装置１０２では、暗号化された電子ファイルを開いてから設定された復号条件を満たすかどうかを判定し、条件を満たしていれば、暗号化された部分を復号する処理を行う。
【００１９】
サーバ装置１０６では、暗号化された電子ファイルの管理や作成を行うことが可能であるが、サーバ装置を備えたシステムにするかいなかについては、自由に設計することができる。
【００２０】
また、ここで暗号化された部分とは、暗号化されたことが分かるようにモザイクなどが表示されてもよいし、空白で表示されてもよい。また、暗号化されたことがわからないように、復号される部分が表示されないようにしてもよい。
【００２１】
復号とは、暗号化された部分を電子ファイルが開かれた時に読める状態で表示することである。
【００２２】
図２は、図１に示した複合機１１０のコントローラユニットのハードウェア構成の一例を示すブロック図である。
【００２３】
図２において、２１６はコントローラユニットで、画像入力デバイスとして機能するスキャナ２１４や、画像出力デバイスとして機能するプリンタ２１２と接続する一方、ＬＡＮ（例えば、図１に示したＬＡＮ４００）や公衆回線（ＷＡＮ）（例えば、ＰＳＴＮまたはＩＳＤＮ等）と接続することで、画像データやデバイス情報の入出力を行う。
【００２４】
コントローラユニット２１６において、３０１はＣＰＵで、システム全体を制御するプロセッサである。２０２はＲＡＭで、ＣＰＵ２０１が動作するためのシステムワークメモリであり、プログラムを記録するためのプログラムメモリや、画像データを一時記録するための画像メモリでもある。
【００２５】
２０３はＲＯＭで、システムのブートプログラムや各種制御プログラムが格納されている。２０４は外部記憶装置（ハードディスクドライブ（ＨＤＤ））で、システムを制御するための各種プログラム，画像データ等を格納する。
【００２６】
２０７は操作部インタフェース（操作部Ｉ／Ｆ）で、操作部（ＵＩ）２０８とのインタフェース部であり、操作部２０８に表示する画像データを操作部２０８に対して出力する。また、操作部Ｉ／Ｆ２０７は、操作部３０８から本システム使用者が入力した情報（例えば、ユーザ情報等）をＣＰＵ２０１に伝える役割をする。なお、操作部２０８はタッチパネルを有する表示部を備え、該表示部に表示されたボタンを、ユーザが押下（指等でタッチ）することにより、各種指示を行うことができる。
【００２７】
２０５はネットワークインタフェース（Ｎｅｔｗｏｒｋ  Ｉ／Ｆ）で、ネットワーク（ＬＡＮ）に接続し、データの入出力を行う。２０６はモデム（ＭＯＤＥＭ）で、公衆回線に接続し、ＦＡＸの送受信等のデータの入出力を行う。
【００２８】
２１８は外部インタフェース（外部Ｉ／Ｆ）で、ＵＳＢ、ＩＥＥＥ１３９４，プリンタポート，ＲＳ−２３２Ｃ等の外部入力を受け付けるＩ／Ｆ部であり、本実施形態においては認証で必要となるＩＣカードの読み取り用のカードリーダ２１９が外部Ｉ／Ｆ部２１８に接続されている。そして、ＣＰＵ２０１は、この外部Ｉ／Ｆ２１８を介してカードリーダ２１９によるＩＣカードからの情報読み取りを制御し、該ＩＣカードから読み取られた情報を取得可能である。尚、ＩＣカードに限らず、ユーザを特定することが可能な記憶媒体であればよい。この場合、記憶媒体にはユーザを識別するための識別情報が記憶される。この識別情報は、記憶媒体の製造番号でも、ユーザが企業内で与えられるユーザコードであってもよい。
【００２９】
以上のデバイスがシステムバス２０９上に配置される。
【００３０】
２２０はイメージバスインタフェース（ＩＭＡＧＥ  ＢＵＳ  Ｉ／Ｆ）であり、システムバス２０９と画像データを高速で転送する画像バス２１５とを接続し、データ構造を変換するバスブリッジである。
【００３１】
画像バス２１５は、ＰＣＩバスまたはＩＥＥＥ１３９４で構成される。画像バス２１５上には以下のデバイスが配置される。
【００３２】
２１０はラスタイメージプロセッサ（ＲＩＰ）で、例えば、ＰＤＬコード等のベクトルデータをビットマップイメージに展開する。２１１はプリンタインタフェース（プリンタＩ／Ｆ）で、プリンタ２１２とコントローラユニット２１６を接続し、画像データの同期系／非同期系の変換を行う。また、２１３はスキャナインタフェース（スキャナＩ／Ｆ）で、スキャナ２１４とコントローラユニット２１６を接続し、画像データの同期系／非同期系の変換を行う。
【００３３】
２１７は画像処理部で、入力画像データに対し補正、加工、編集を行ったり、プリント出力画像データに対して、プリンタの補正、解像度変換等を行う。また、これに加えて、画像処理部２１７は、画像データの回転や、多値画像データに対してはＪＰＥＧ、２値画像データはＪＢＩＧ、ＭＭＲ、ＭＨ等の圧縮伸張処理を行う。
【００３４】
スキャナ部２１４は、原稿となる紙上の画像を照明し、ＣＣＤラインセンサで走査することで、ラスタイメージデータとして電気信号に変換する。原稿用紙は原稿フィーダのトレイにセットし、装置使用者が操作部２０８から読み取り起動指示することにより、ＣＰＵ２０１がスキャナ２１４に指示を与え、フィーダは原稿用紙を１枚ずつフィードし原稿画像の読み取り動作を行う。
【００３５】
プリンタ部２１２は、ラスタイメージデータを用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、ＣＰＵ２０１からの指示によって開始する。なお、プリンタ部２１２には、異なる用紙サイズまたは異なる用紙向きを選択できるように複数の給紙段を持ち、それに対応した用紙カセットがある。
【００３６】
操作部２０８は、ＬＣＤ表示部を有し、ＬＣＤ上にタッチパネルシートが貼られており、システムの操作画面を表示するとともに、表示してあるキーが押されるとその位置情報を操作部Ｉ／Ｆ２０７を介してＣＰＵ２０１に伝える。また、操作部３０８は、各種操作キーとして、例えば、スタートキー、ストップキー、ＩＤキー、リセットキー等を備える。
【００３７】
ここで、操作部２０８のスタートキーは、原稿画像の読み取り動作を開始する時などに用いる。スタートキーの中央部には、緑と赤の２色ＬＥＤがあり、その色によってスタートキーが使える状態にあるかどうかを示す。また、操作部２０８のストップキーは、稼働中の動作を止める働きをする。また、操作部２０８のＩＤキーは、使用者のユーザＩＤを入力する時に用いる。リセットキーは、操作部からの設定を初期化する時に用いる。
【００３８】
カードリーダ２１９は、ＣＰＵ２０１からの制御により、ＩＣカード（例えば、ソニー社のフェリカ（ＦｅｌｉＣａ）（登録商標））内に記憶されている情報を読み取り、該読み取った情報を外部Ｉ／Ｆ３１８を介してＣＰＵ２０１へ通知する。
【００３９】
次に、図３を用いて、本発明の情報処理装置としての複合機１１０、情報処理装置１０２の機能ブロック図について説明する。
【００４０】
尚、各機能ブロックが処理する詳細な制御については、後述するフローチャートにて説明する。
【００４１】
複合機１１０は、本発明の実施形態に係る画像形成装置として適用可能であり、スキャン部３０１、暗号化領域指定部３０２、暗号化情報作成部３０３、および、電子ファイル出力部３０４を有し、情報処理装置１０２は、暗号化情報判断部３１０、暗号化情報復元部３１１、および電子ファイル表示部３１２を有する。
【００４２】
スキャン部３０１は、暗号化を行う原稿である紙文書のスキャンを行なう。スキャンした後は、電子ファイルを作成可能である。暗号化領域指定部３０２は、スキャンされた原稿のプレビューを表示し、暗号化する箇所またはページの指定を行う。
また、暗号化された領域を復号して表示するための復号条件として、暗号化情報開示時間の指定などの、さまざまな条件の設定を行なう。
【００４３】
暗号化情報作成部３０３は、暗号化領域指定部３０２で指定された情報をもとに、電子データのヘッダおよびフッタ部に暗号化情報を登録する。
【００４４】
電子ファイル出力部３０４は、暗号化情報作成部３０３で作成された電子ファイルを暗号化された領域を有する電子データとして出力する。暗号化する際は、復号条件として設定された条件が満たされた場合に復元（復号）可能な状態の電子ファイルとして作成される。
【００４５】
情報処理装置１０２の暗号化情報判断部３１０は、電子ファイルに暗号化情報が存在するか否かを判断する。
【００４６】
暗号化情報復元部３１１は、開示条件を満たす場合に電子ファイルに存在する暗号化情報を復元する。なお復元と、暗号化されたファイルと復号することは同じことである。
【００４７】
電子ファイル表示部３１２は、暗号化復元部３１１によって復元された電子ファイルを表示する。
【００４８】
ここで、暗号化された電子ファイルは、複合機１１０で作成するものとして説明したが、既に存在する電子ファイルに対して、暗号化領域を指定し暗号化情報を作成することも可能である。その場合は、情報処理装置１０２やサーバ装置１０６が、暗号化領域指定部３０２、暗号化情報作成部３０３および電子ファイル出力部３０４の機能を有することで実現可能である。
【００４９】
次に、図４を参照して、本実施形態の電子ファイル出力処理について説明する。
【００５０】
複合機１１０を利用して暗号化された電子ファイルを作成するときのフローチャートである。
【００５１】
ステップＳ４０１では、複合機にて原稿（紙ベース）のスキャンを実行し、操作入力部（不図示）にてスキャン時の原稿のプレビューを行なう。
【００５２】
ステップＳ４０２では、操作入力部のプレビュー画面にて、暗号化する領域の指定を行ない、表示時間の指定も同時に行なう。暗号化領域を表示する際のパターン(白表示/モザイク表示)の指定も可能とする。閲覧判断ページまたは箇所の指定も可能とする。
【００５３】
暗号化する領域の指定は、例えばページ単位または領域の座標情報を利用する。表示時間とは、ファイルが表示されている時間に応じて暗号化部分を復元するものである。
【００５４】
ファイルが開かれてからの時間や、指定するページが表示されてからの時間や、指定する領域が表示されてからの時間を指定することができる。
【００５５】
表示する際のパターンは、暗号化された部分を、空白表示やモザイク表示を指定することが可能である。また、空白表示やモザイク表示をせず、見る側にとっては何もないように見えるように表示することも可能である。
【００５６】
また、さらに印刷に関する条件を設定することも可能であり、復元されたとしても所定時間経過するまでは印刷できないように制御することもできる。
【００５７】
ここで設定された内容は暗号化情報として電子ファイルのヘッダ情報に記憶される。
【００５８】
ステップＳ４０３で暗号化情報を付与した電子ファイルを作成する。電子ファイル作成時には、操作入力部で設定された内容に基づいて、電子データのヘッダ部およびフッタ部に暗号化情報（指定領域データおよび閲覧判断ページの情報）を付加する。なお、ヘッダ部およびフッタ部は、ページ情報などを記述するための領域のことを指す。
【００５９】
ステップＳ４０４では暗号化情報付加後、電子ファイルを出力して処理を終了する。
【００６０】
次に、図９を参照して、暗号化情報を持つ電子ファイルのヘッダ部およびフッタ部のイメージについて説明する。
【００６１】
開こうとする電子ファイルが暗号化されているかどうかについて（暗号化情報の有無）はヘッダ部９０１に情報を持つ。
【００６２】
閲覧するページの情報および暗号化情報についてはフッタ部９０２に情報を持つ。
【００６３】
ヘッダ部９０１では、暗号化情報を持つ電子ファイルであれば「ｔｒｕｅ」と記憶され、暗号化情報を持たない場合は「ｆａｌｓｅ」と記憶されている。
【００６４】
電子ファイルの本文の情報は、＜ｂｏｄｙ＞に書かれているが、これに限ったものである必要はなく、電子ファイルのアプリケーションによって異なった形式で書かれていてもよい。
【００６５】
フッタ部９０２では、図４のステップＳ４０２で設定された暗号化情報が、暗号化ＩＤ９０３、座標情報９０４、表示時間情報９０５、および暗号化方法９０６として記憶されている。
【００６６】
暗号化ＩＤは、指定された暗号化領域ごとに付与されるＩＤである。本実施例では、本電子ファイルは、４つの暗号化領域が設定されているものである。
【００６７】
座標情報９０４は、指定された暗号化領域を特定するための情報ある。「２ページ全体」と指定された場合は、そのページ全体が暗号化領域となり、座標で示されている場合、「３ページ目、１０，１０−４０，９０」であれば、３ページ目のＸ座標Ｙ座標が１０，１０と４０，９０で囲まれた領域となる。
【００６８】
表示時間情報９０５には、対象の暗号化領域を復元する為の時間に関する条件が指定されている。例えば暗号化ＩＤ１で「ファイル開いて６０分後」と指定されていれば、当該電子ファイルが開かれてから６０分経過すると、ファイルが開かれた時には、モザイク表示されていた２ページ目が復元されて表示される。
【００６９】
同様に、暗号化ＩＤ２を例では、３ページ目が開かれてから２０分経過すると、ファイルが開かれた時には空白で表示されていた領域が復元されて表示される。
【００７０】
また、暗号化ＩＤ４の例では、暗号化ＩＤ３が所定の条件を満たし、復元されてから２０分経過後に、空白で表示されていた領域が復元されて表示される。
【００７１】
すなわち、ファイルが開かれてから所定の時間が経過されないと、暗号化された領域は表示されないし、暗号化された領域が表示されないと、暗号化ＩＤ４の領域は、表示されないことになる。
【００７２】
特定のページを開いてからの経過時間や特定の領域が復元されてからの経過時間については、復元のための詳細条件として利用される。本実施例では、（・・・）で囲まれている部分を指す。
【００７３】
ファイルを開いてからの時間は、ファイルを閉じることでリセットするようにしてもよいし、一度閉じたとしてもそれまでの時間はカウントしておき、再度開かれた時はその時間に加算するようにしてもよい。
【００７４】
また、暗号化情報は、ヘッダ部だけに付加されていてもよいし、フッタ部だけに付加されていてもよい。
【００７５】
次に、図５を参照して、本実施形態の電子ファイル表示処理について説明する。
【００７６】
暗号化された電子ファイルを開く際に処理が開始される。
【００７７】
ステップＳ５０１では、電子ファイルヘッダ部の暗号化領域の存在可否情報を確認する。図９に示したヘッダ部９０１付加された、暗号化情報の有無を表わす情報を参照する。
【００７８】
ステップＳ５０２では、暗号化された情報が存在する場合、復元モード（復元表示処理）を実行し、処理終了する。復元表示処理の詳細は、図６で説明する。
【００７９】
ステップＳ５０３では、暗号化された情報が存在しない場合、そのまま電子ファイルを表示して終了する。
【００８０】
図６を参照して、本実施形態の電子ファイル復元表示処理について説明する。
【００８１】
ステップＳ６０１では、電子ファイルフッタ部の暗号化情報の有無に関する情報を確認する。フッタ部に暗号化情報が存在しなければ処理を終了し、暗号化データが存在する場合はステップＳ６０２に進む。
【００８２】
ステップＳ６０２では暗号化された情報が存在する場合、暗号化情報９０２で指定されている内容に従って、電子ファイル閲覧経過時間と暗号化領域データから取得した開示時間の比較により開示（復元）判断を行なう。
【００８３】
経過時間は文書を開いた時間もしくは、該当ページを開いた時間と現在時間（ローカル時間）から算出する。すなわち、電子ファイルが開かれてからの経過時間を測定する。
【００８４】
ステップＳ６０３では経過時間が到達している場合、詳細条件すなわち、閲覧したかどうかを判断するページもしくは領域の設定があるかの判断を行なう。
【００８５】
ステップＳ６０４では詳細条件の設定がある場合は、そのページが閲覧されたかの判断を行ない、閲覧されていれば、ステップＳ６０５の暗号化領域の復元を行なう。
【００８６】
ここで、詳細条件とは、表示時間情報９０５で、時間とともに設定されている内容で、例えば、（３ページ目を開いて）や（ＩＤ３が復号されてから）などをいう。
【００８７】
経過時間が未達の場合や閲覧判断ページが未閲覧の場合は、復元処理を行なわずにステップＳ６０１に戻る。（暗号化ＩＤ全ての項目の処理が終了するまでループする。）
【００８８】
暗号化情報が存在しなくなるまで前記処理を継続し、暗号化情報が存在しなくなれば、復元表示処理を終了する。
【００８９】
次に、図７を参照して、原稿より暗号化領域の指定処理について説明する。
【００９０】
図４のステップＳ４０２の暗号化領域の指定処理を行う時のイメージ図である。例では○○検定試験として、試験問題を例に説明する。このファイルを利用して試験を受験する場合、試験開始から所定時間経過後に、問題に対する解答を表示することができる。
【００９１】
また、第３問のように問題を見て（３ページ目を開いてから）所定時間経過後に、解答を表示することができる。更に、所定時間経過後に、次の問題を表示することもできる。
【００９２】
また、試験問題に限ったものではなく、例えばクイズ問題とその答えなどが書かれた電子ファイルにも利用することができる。
【００９３】
ここでは、４ページの原稿がスキャンされたものとする。または、既存の４ページからなる電子ファイルに対して、暗号化条件の設定を行うものとする。
【００９４】
１ページ目７０１に指定された暗号化領域はない。２ページ目７０２では、２ページ目全体体が暗号化領域として指定されており、電子ファイルが開かれてから６０分でページ全体の閲覧が可能となるように指定している。本実施形態では、暗号化ＩＤ１として記憶される。
【００９５】
３ページ目７０３は、一部暗号化（Ｘ，Ｙ座標で指定）されており、３ページ目が表示されてから２０分後に暗号化領域７０５の閲覧が可能となるよう指定している。本実施形態では、暗号化ＩＤ３として記憶される。
【００９６】
４ページ目７０６は、全体および一部が暗号化されており、２ページ目を表示後４０分で第４問の問題部７０７が閲覧可能となり（暗号化ＩＤ３）、問題部７０７が表示後２０分で解答部７０８の閲覧が可能となるように指定している。（暗号化ＩＤ４）。
【００９７】
暗号化領域をモザイクで表示するか空白で表示するのかの指定もこの画面で行うことができる。
【００９８】
図８は暗号化情報をもつ電子ファイルを開いた際のファイルイメージを示す。
【００９９】
本実施形態では暗号化情報９０１に記憶されている内容に基づいて説明する。
【０１００】
１ページ目８０１は、暗号化の設定がされていないため、ファイルが開かれる時には全て表示される。
【０１０１】
２ページ目８０２は、電子ファイルが開かれた状態では、モザイクが表示されており、電子ファイルが開かれてから６０分経過すると、暗号化された内容が復元されて表示される。
【０１０２】
３ページ目８０３は、電子ファイルが開かれた状態では、空白８０４が表示されている。空白の領域は、座標情報で指定されている領域である。３ページ目が表示されてから、２０分経過後に、空白８０４部分に、暗号化された内容が復元されて表示される。
【０１０３】
４ページ目８０４では、空白８０６および空白８０７が表示された状態で開かれる。３ページ目が開かれてから４０分経過すると空白８０６に対応する暗号化された内容が復元され、復元されてから２０分経過すると、空白８０７に対応する暗号化された内容が復元されて表示される。
【０１０４】
本実施形態により、電子ファイルが開かれてからの経過時間によって電子ファイルの暗号化部分の自動復元が可能となる。それにより、１つの電子ファイルで複数パターンの開示状態を実現することができる。
【０１０５】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【０１０６】
また、本発明におけるプログラムは、フローチャートの処理方法をコンピュータが実行可能なプログラムであり、本発明の記憶媒体はフローチャート処理方法をコンピュータが実行可能なプログラムが記憶されている。なお、本発明におけるプログラムは各装置の処理方法ごとのプログラムであってもよい。
【０１０７】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【０１０８】
この場合、記録媒体から読み出されたプログラム自体が本発明の新規な機能を実現することになり、そのプログラムを記憶した記録媒体は本発明を構成することになる。
【０１０９】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク、ソリッドステートドライブ等を用いることができる。
【０１１０】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１１１】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１１２】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。  さらに、本発明を達成するためのプログラムをネットワーク上のサーバ、データベース等から通信プログラムによりダウンロードして読み出すことによって、そのシステムあるいは装置が、本発明の効果を享受することが可能となる。
【０１１３】
なお、上述した各実施形態およびその変形例を組み合わせた構成も全て本発明に含まれるものである。
【符号の説明】
【０１１４】
１００  ネットワーク
１０２  情報処理装置
１０６  サーバ装置
１１０  複合機
２０１  ＣＰＵ
２０２  ＲＡＭ
２０３  ＲＯＭ
２０４  ＨＤＤ
【図１】
2014081744.tif 000003
【図２】
2014081744.tif 000004
【図３】
2014081744.tif 000005
【図４】
2014081744.tif 000006
【図５】
2014081744.tif 000007
【図６】
2014081744.tif 000008
【図７】
2014081744.tif 000009
【図８】
2014081744.tif 000010
【図９】
2014081744.tif 000011